(57)【要約】【課題】モップ等の補助集塵具に付着した塵挨を容易な作業により除去可能な電気掃除機を提供することを目的とした。【解決手段】電気掃除機１は、電動送風機１１４を有する掃除機本体１０と、管部３０を介して掃除機本体１０と連通する吸込具４０と、管部３０に対して設けられ、モップ８０を出し入れ自在に収容する収容部５０と、収容部５０と管部３０との間を連通させる開口部６０と、を備えている。電気掃除機１は、開口部６０を閉塞可能な開閉部を操作するための操作部６６ｂを有し、操作部６６ｂをスライド操作することにより、開閉部６６ａによる開口部６０の開閉操作を行える。【選択図】図３
2020141836.tif 000002
【特許請求の範囲】
【請求項１】
電動送風機を有する掃除機本体と、
管部を介して前記掃除機本体と連通する吸込具と、
前記管部に対して設けられ、補助集塵具を出し入れ自在に収容する収容部と、
前記収容部と前記管部との間を連通させる開口部と、
を備えることを特徴とする電気掃除機。
【請求項２】
前記開口部を開状態と閉状態との間で切換え可能な開閉手段を備えることを特徴とする請求項１に記載の電気掃除機。
【請求項３】
前記開閉手段は、
前記開口部を閉塞可能な開閉部と、
前記開閉部を操作するための操作部とを有し、
前記操作部をスライド操作することにより、前記開閉部による前記開口部の開閉操作を行えることを特徴とする請求項２に記載の電気掃除機。
【請求項４】
前記開閉手段は、
前記開口部を開閉可能な開閉部材と
前記開閉部材をスライド可能に収容する開閉部材収容部とを有し、
前記開閉部材が、
前記開口部を閉塞して前記開口部を閉状態とする前記開閉部と、
前記開口部と連通して前記開口部を開状態とする開閉部開口と、
前記開閉部材収容部の外側に露出してスライド操作を可能とする前記操作部とを備えていることを特徴とする請求項３に記載の電気掃除機。
【請求項５】
前記開閉手段は、前記開閉操作に連動して係合状態と非係合状態との間で切り替わる系脱構造部を有することを特徴とする請求項２〜４のいずれかに記載の電気掃除機。
【請求項６】
前記補助集塵具は、鍔部を有し、
前記鍔部は、前記収容部において前記補助集塵具が挿入される挿入開口を塞ぐことを特徴とする請求項１〜５のいずれかに記載の電気掃除機。
【請求項７】
前記補助集塵具は、鍔部を有し、
前記収容部への出し入れに応じて、前記鍔部が前記開口部を開状態と閉状態との間で切り替ることで前記開閉手段として機能することを特徴とする、請求項２〜５のいずれかに記載の電気掃除機。  
【請求項８】
前記収容部は、内部空間に向けて突出した突起部を備えることを特徴とする、請求項１〜７のいずれかに記載の電気掃除機。  
【発明の詳細な説明】
【技術分野】
【０００１】
本発明は、電気掃除機に関する。
【背景技術】
【０００２】
従来、モップを収容可能なモップケースが取り付けられた電気掃除機が知られている。例えば、特許文献１の電気掃除機は、掃除機本体にホースを介して接続される先端パイプと吸込具との間の延長管に、モップアタッチメントを収納する収納部が取り付けられたものである。特許文献１の電気掃除機の収納部は、収納外壁と、収納外壁の内部に収納される１以上の穴を有する内かごとを含み、収納外壁に設けられた吸引開口に先端パイプを接続可能とされている。これにより、収納部の内かごに収納されたモップアタッチメントに付着したゴミを吸引可能とされている。
【先行技術文献】
【特許文献】
【０００３】
【特許文献１】特開２０１１−８７６６９号公報
【発明の概要】
【発明が解決しようとする課題】
【０００４】
しかしながら、上記特許文献１に開示されている発明のような構成とした場合、モップを掃除するために、収納外壁に設けられた吸引開口に先端パイプを接続するといった動作をわざわざ行わねばならない。このような接続動作は、煩雑な作業であり、ユーザにとって使い勝手の良いものではない。
【０００５】
そこで本発明は、例えばモップ等の補助集塵具に付着した塵挨を容易な作業により除去可能な電気掃除機を提供することを目的とした。
【課題を解決するための手段】
【０００６】
上述した課題を解決すべく提供される本発明の実施形態における電気掃除機は、電動送風機を有する掃除機本体と、管部を介して前記掃除機本体と連通する吸込具と、前記管部に対して設けられ、補助集塵具を出し入れ自在に収容する収容部と、前記収容部と前記管部との間を連通させる開口部と、を備えることを特徴とするものである。
【０００７】
本発明の電機掃除機は、掃除機本体と吸込具とを連通する管部に対し、開口部を介して収容部が連通した構成とされている。そのため、本発明の掃除機は、収容部に対して補助集塵具を出し入れするのに伴って、開口部を介して補助集塵具に付着した塵芥を吸引除去することができる。従って、本発明によれば、補助集塵具に付着した塵挨を容易な作業により除去可能な電気掃除機を提供できる。
【発明の効果】
【０００８】
本発明によれば、補助集塵具に付着した塵挨を容易な作業により除去可能な電気掃除機を提供できる。
【図面の簡単な説明】
【０００９】
【図１】本発明の一実施形態に係る電気掃除機を正面側から見た状態示す斜視図である。
【図２】図１に示した電気掃除機の右側面図である。
【図３】本発明の一実施形態に係る電気掃除機を背面側から見た状態示す斜視図である。
【図４】図１に示した電気掃除機の管部及び収容部の右断面図である。
【図５】図１に示した電気掃除機の管部及び収容部の要部を示す断面斜視図である。
【図６】図１に示した電気掃除機の管部及び収容部の分解斜視図である。
【図７】図６に示した要部を示す分解斜視図である。
【図８】図１に示した電気掃除機の掃除機本体を示す断面図である。
【図９】図１に示した電気掃除機の掃除機本体を示す分解斜視図である。
【図１０】図１に示した電気掃除機の吸込具の一部を破断した状態を示す平面図である。
【図１１】図１０に示した吸込具が備えている清掃体を示す斜視図である。
【図１２】図１０に示した吸込具を底面側から見た状態を示す分解斜視図である。
【図１３】図１０に示した吸込具を一部破断しつつ清掃体の取り付け状態を示した斜視図である。
【図１４】図１０に示した吸込具における清掃体の取り付け状態を図１３とは逆側から見た状態を示す斜視図である。
【図１５】収容部及びこの近傍の構造の変形例を模式的に示した説明図である。
【図１６】収容部及びこの近傍の構造の変形例を模式的に示した説明図である。
【図１７】収容部及びこの近傍の構造の変形例を模式的に示した説明図である。
【図１８】収容部及びこの近傍の構造の変形例を示す分解斜視図である。
【図１９】掃除機本体の変形例に係る断面図である。
【図２０】掃除機本体の変形例に係る断面図である。
【図２１】掃除機本体の変形例に係る断面図である。
【発明を実施するための形態】
【００１０】
以下、本発明の一実施形態に係る電気掃除機１について、図面を参照しつつ詳細に説明する。なお、以下の説明においては、電気掃除機１の全体構成について概略を説明した後、主要部についてさらに詳細に説明する。なお、以下の説明においては、特に断りの無い限り上下方向、幅方向等の位置関係については、図１に示すように電気掃除機１を立設させた状態を基準として説明する。
【００１１】
≪電気掃除機１の全体構成について≫
【００１２】
図１〜図３に示すように、電気掃除機１は、スティック状（縦型）の外観を有する掃除機である。電気掃除機１は、例えば、充電式のもの等とすることも可能であるが、本実施形態では電源コードを介して外部電源から電力を得る掃除機とされている。図１に示すように、電気掃除機１は、掃除機本体１０、集塵部２０、管部３０（管部）、及び吸込具４０を備えている。
【００１３】
掃除機本体１０は、電気掃除機１の本体をなし、吸引力を発揮して集塵する機能を発揮する部分である。具体的には、掃除機本体１０は、後に詳述するように、筐体をなす本体ケース１００の内部に、空気を吸引して気流を発生させるための電動送風機ユニット１１０（図８参照）やその他の電子部品を駆動する駆動回路、その他の部品等を備えている。
【００１４】
また、掃除機本体１０は、把持部１４及び操作部１６を備えている。把持部１４は、電気掃除機１の使用者が掃除機本体１０を把持するために設けられた部分である。すなわち、電気掃除機１は、例えば把持部１４に設けられた開口部分に使用者が親指を除く指を通す等することにより、掃除機本体１０を把持できる構成とされている。また、操作部１６は、電気掃除機１の操作を行うためのものである。操作部１６は、例えば電源のオンオフ操作等を行うためのものである。
【００１５】
集塵部２０は、電気掃除機１により吸引された塵芥が集められる部分である。集塵部２０は、掃除機本体１０に対して連続するように設けられている。集塵部２０の下端側には、管部３０を接続するための管接続部２２が設けられている。
【００１６】
管部３０は、掃除機本体１０と吸込具４０とを着脱可能に接続する筒状の部材である。管部３０は、一端側が管接続部２２に差し込み可能な形状とされ、他端が吸込具４０に対して接続可能な形状とされている。管部３０を介して掃除機本体１０と吸込具４０とを接続することにより、吸込具４０から掃除機本体１０に至る一連の連通した経路を形成できる。また、管部３０の外周には、後に詳述するようにモップ８０（補助集塵具）を収容するための収容部５０が設けられている。
【００１７】
吸込具４０は、吸込具本体４２と、継手部４４とを備えている。また、図１０に示すように、吸込具４０は、吸込具本体４２の内部に、清掃体４６や、清掃体駆動機構４８等の部材を備えている。吸込具本体４２は、清掃時に床に配置される部分であり、清掃時にユーザにより動作される方向である前後方向に対して、左右方向に長い形状を有する。吸込具本体４２の内部には、床面側を開口端とし、外部から空気や塵埃を吸い込むための吸込空間が形成されている。また、継手部４４は、吸込具本体４２に対して所定の回転範囲（前後方向および左右方向）で回転可能に取り付けられている。継手部４４は、上述した管部３０の端部が接続される部分である。継手部４４は、筒状とされており、内部空間が吸込空間と連通している。
【００１８】
電気掃除機１は、大略、上述したような構成とされている。電気掃除機１は、収容部５０及びこの近傍の構造や、掃除機本体１０の内部構造、吸込具４０の構造等、各部に特徴的な構造を備えたものとされている。以下、電気掃除機１の各部の構造について、さらに詳細に説明する。
【００１９】
≪収容部５０及びこの近傍の構造について≫
収容部５０は、例えばナイロンやＡＢＳ樹脂で構成され、モップ８０（補助集塵具）を収容するためのものであり、管部３０に対して設けられている。収容部５０は、管部３０の外周面に対して、管部３０の長手方向に延びるように設けられている。収容部５０は、収容部構成体５２を管部３０に対して固定することにより構成されている。
【００２０】
図２や図３に示すように、収容部構成体５２は、略「ロ」字型の断面形状を有する周面５２ａを有し、一端側が開放され、他端側に閉塞部５２ｂを有する部材である。収容部構成体５２は、略「ロ」字状に形成された周面５２ａが管部３０の外周面に突き当たり、閉塞部５２ｂが下方側（吸込具４０側）を向く姿勢とされ、管部３０に対して固定されている。
【００２１】
図３及び図４に示すように、収容部５０は、収容部構成体５２の周面５２ａにより囲まれると共に、上端側が開口し、下端側（底部）が閉塞部５２ｂによって閉塞された有底の内部空間５４を有する。収容部５０は、内部空間５４に対してモップ８０を出し入れ自在に収容することができる。図４に示すように、内部空間５４の深さ（上端側から下端側の長さ）は、収容部５０の上端側に設けられた開口からモップ８０を差し込んだ際に、モップ８０において集塵機能を発揮するヘッド部８２が収まる程度の長さとされている。そのため、収容部５０にモップ８０を収容すると、モップ８０の柄８４が収容部５０から上方に突出した状態になる。そのため、収容部５０にモップ８０を収容した状態においても、ユーザは容易に柄８４を持ち、モップ８０を出し入れすることができる。
【００２２】
図５及び図６に示すように、収容部構成体５２の周面５２ａのうち、管部３０の外周面に突き当てられる部分には、収容部側開口５２ｃ、及び突起部用開口５２ｄが設けられている。収容部側開口５２ｃは、後述する開口部６０の一部をなす開口である。また、突起部用開口５２ｄは、後述する突起部５６を内部空間５４に向けて突出可能なように開口したものである。収容部側開口５２ｃは、どのような開口形状を有するものであっても良いが、本実施形態では、管部３０や収容部５０の長手方向に対して交差する方向（本実施形態では略直交する方向）に延びるように開口したものとされている。また、収容部側開口５２ｃは、突起部用開口５２ｄに対して上方（モップ８０の挿抜方向手前側）に外れた位置に設けられている。
【００２３】
収容部５０には、内部空間５４の内側に向けて突出した突起部５６が設けられている。突起部５６は、例えば、管部３０の外周面において収容部５０をなす部分や、収容部構成体５２の内周面のいずれか一方又は双方から、内部空間５４の内側に向けて突出したものとすることができる。本実施形態では、図６に示すように、突起部５６は、管部３０の外周面において収容部５０をなす部分から内部空間５４の内側に向けて突出したものとされている。
【００２４】
また、突起部５６は、例えば、櫛状のものやブラシ状のものとすることができる。本実施形態では、突起部５６は、櫛状のものとされている。具体的には、突起部５６は、モップ８０の挿抜方向（本実施形態では上下方向）に向けて延びる櫛歯５６ａが複数、所定の間隔毎に並列に設けられたものとされている。突起部５６は、上述した収容部構成体５２に設けられた突起部用開口５２ｄに対応する位置に設けられている。そのため、突起部５６は、突起部用開口５２ｄを介して内部空間５４の内側に向けて突出している。また、突起部５６は、収容部５０の上方側（入口側）、及び下方側（底側）の２箇所に設けられている。入口側の突起部５６は、底側の突起部５６よりも上下方向に短い。また、入口側の突起部５６は、底側の突起部５６よりも櫛歯５６ａが幅方向に広い領域に設けられており、櫛歯５６ａの数（列）も多い。
【００２５】
図５〜図７に示すように、電気掃除機１は、収容部５０と管部３０とを連通させる開口部６０を備えている。開口部６０は、上述した収容部構成体５２に設けられた収容部側開口５２ｃと、管部３０において収容部側開口５２ｃに対応する位置に設けられた管部側開口３０ａとによって構成されている。具体的に、収容部側開口５２ｃと管部側開口３０ａとは、少なくとも一部は対向している。管部側開口３０ａは、どのような開口形状を有するものであっても良いが、本実施形態では、収容部側開口５２ｃと同様に、管部３０や収容部５０の長手方向に対して交差する方向（本実施形態では略直交する方向）に延びるように開口したものとされている。開口部６０は、収容部側開口５２ｃ及び管部側開口３０ａが連通することにより、管部３０及び収容部５０を連通させることができる。また、開口部６０は、突起部５６に対していずれの位置に設けられたものであっても良いが、図５や図６に示す例においては、開口部６０は、上述した突起部５６に対して上方（モップ８０の挿抜方向手前側）に外れた位置に設けられている。
【００２６】
開口部６０には、開閉手段６２が設けられている。開閉手段６２は、開口部６０を開状態と閉状態との間で切換えるための手段である。開閉手段６２は、開閉部材収容部６４と、開閉部材６６とを有する。
【００２７】
開閉部材収容部６４は、開閉部材６６をスライド可能なように収納する部分である。開閉部材収容部６４は、管部３０側、収容部５０側のいずれか一方のみによって構成されていても良いが、本実施形態では管部３０側に設けられたパイプ側構成部６４ａ、及び収容部５０側に設けられた収容部側構成部６４ｂを組み合わせて構成されている。
【００２８】
図７に示すように、パイプ側構成部６４ａは、上述した管部側開口３０ａが設けられた部分を含むように形成されている。パイプ側構成部６４ａは、開閉部材６６を収容できる空間をなすように管部３０の外周面から突出するように形成されている。パイプ側構成部６４ａは、管部側開口３０ａをなす開口形成部６４ｃと、開口形成部６４ｃの外周を取り囲むように立設された周壁部６４ｄとを有する。
【００２９】
開口形成部６４ｃは、管部側開口３０ａの縁をなす縁部６４ｅと、管部側開口３０ａの幅方向中間部（本実施形態では略中央部）の上方及び下方に位置する開口上部６４ｆ及び開口下部６４ｇとを有する。開口上部６４ｆ及び開口下部６４ｇは、縁部６４ｅと略面一とされている。開口上部６４ｆには、凹部６４ｋ，６４ｌが設けられている。凹部６４ｋ，６４ｌは、それぞれ後述する開閉部材６６に設けられた凸部６６ｇとの組み合わせにより系脱構造部６８をなすものである。また、周壁部６４ｄにおいて、管部側開口３０ａに対して両側方に隣接する位置には、切欠部６４ｈ，６４ｈが設けられている。
【００３０】
収容部側構成部６４ｂは、収容部構成体５２（収容部５０）の周面５２ａにおいて収容部側開口５２ｃが形成された部分によって構成されている。収容部構成体５２において、収容部側構成部６４ｂをなす部分には、係合部６４ｉが設けられている。係合部６４ｉは、パイプ側構成部６４ａの周壁部６４ｄに設けられた被係合部６４ｊと係合可能とされている。収容部５０側の係合部６４ｉを、管部３０側の被係合部６４ｊに対して係合させることにより、パイプ側構成部６４ａの周壁部６４ｄに対して収容部構成体５２が当接した状態で固定される。開閉部材収容部６４は、このようにしてパイプ側構成部６４ａと収容部側構成部６４ｂとの組み合わせることによって構成される。
【００３１】
開閉部材６６は、開口部６０をなす管部側開口３０ａ及び収容部側開口５２ｃを開閉するための部材である。開閉部材６６は、上述した開閉部材収容部６４の内部にスライド可能なように収容される。開閉部材６６は、開閉部６６ａと、操作部６６ｂ，６６ｂと、係合部６６ｃとを有する。
【００３２】
具体的には、開閉部材６６は、略平行に配された第一構成部６６ｄ及び第二構成部６６ｅと、両者の間をつなぐ第三構成部６６ｆとを有する略「コ」字型に形成された部材に対し、開閉部６６ａをなす板状の部分と、操作部６６ｂ，６６ｂをなす突起状の部分とを一体化したものとされている。
【００３３】
第一構成部６６ｄ及び第二構成部６６ｅの間隔は、上述した開閉部材収容部６４の開口形成部６４ｃを幅方向外側から挟み込むことができる大きさとされている。また、第一構成部６６ｄ及び第二構成部６６ｅの厚みは、上述した開閉部材収容部６４において開口形成部６４ｃと周壁部６４ｄとの間にほぼ隙間なく収まる程度のものとされている。そのため、開閉部材６６は、係合部６６ｃが上方に向き、第三構成部６６ｆが下方に向く姿勢として、パイプ側構成部６４ａの内側において第一構成部６６ｄ及び第二構成部６６ｅにより開口形成部６４ｃを挟み込むように嵌め込むことができる。また、開閉部材６６は、開閉部材収容部６４（パイプ側構成部６４ａ）の内側において、第一構成部６６ｄ及び第二構成部６６ｅの長手方向にスライド可能とされている。
【００３４】
また、開閉部６６ａは、第一構成部６６ｄ及び第二構成部６６ｅの長手方向中間部に設けられている。開閉部６６ａは、開閉部材６６をパイプ側構成部６４ａの内側に嵌め込み、管部側開口３０ａに対応する位置に配置することにより、管部側開口３０ａの縁をなす縁部６４ｅ及びこれに対向する収容部側開口５２ｃに対して面接触可能なものとされている。また、開閉部６６ａの下端部と第三構成部６６ｆとの間には、開閉部材６６の厚み方向に貫通した開閉部開口６６ｈが形成されている。そのため、開閉部材６６を開閉部材収容部６４（パイプ側構成部６４ａ）の内側でスライドさせ、開閉部６６ａによって管部側開口３０ａ及び収容部側開口５２ｃを塞いだ状態にすることにより開口部６０を閉じ、管部側開口３０ａ及び収容部側開口５２ｃと開閉部開口６６ｈとを連通した状態にすることにより開口部６０を開くことができる。
【００３５】
操作部６６ｂ，６６ｂは、第一構成部６６ｄ及び第二構成部６６ｅにおいて、開閉部材６６の幅方向外側に向けて突出するように形成されている。操作部６６ｂ，６６ｂは、それぞれ切欠部６４ｈ，６４ｈを介して外部に露出している。そのため、操作部６６ｂ，６６ｂをユーザが指等によってスライド操作することにより、開閉部材６６を開閉部材収容部６４（パイプ側構成部６４ａ）の内側においてスライドさせ、開口部６０を開閉させることができる。
【００３６】
係合部６６ｃは、開閉部６６ａの上端側からさらに上方に突出した板状の部分である。図５に示すように、係合部６６ｃの裏側には、凸部６６ｇが形成されている。凸部６６ｇは、上述したパイプ側構成部６４ａの開口上部６４ｆに設けられた凹部６４ｋ，６４ｌとの組み合わせにより系脱構造部６８をなすものである。凹部６４ｋは、開口部６０（管部側開口３０ａ及び収容部側開口５２ｃ）を開く位置まで開閉部材６６をスライドさせることにより凸部６６ｇが係合できる位置に設けられている。また、凹部６４ｌは、開口部６０（管部側開口３０ａ及び収容部側開口５２ｃ）を閉じる位置まで開閉部材６６をスライドさせることにより凸部６６ｇが係合できる位置に設けられている。そのため、系脱構造部６８は、開閉部材６６のスライド操作に連動して、凸部６６ｇ及び凹部６４ｋ，６４ｌが係合した係合状態と、非係合状態との間で切り替わる。また、系脱構造部６８が設けられているため、開口部６０を開いた状態及び閉じた状態において開閉部材６６を固定できると共に、開口部６０を開閉する操作に節度感を与えることができる。
【００３７】
≪掃除機本体１０の内部構造について≫
続いて、掃除機本体１０の内部構造について説明する。図８や図９に示すように、掃除機本体１０は、本体ケース１００の内部に電動送風機ユニット１１０を収容したものとされている。
【００３８】
図８に示すように、本体ケース１００は、電動送風機ユニット１１０を収容する収容部１２０と、第一突起部１２２と、第二突起部１２４と、第二排気開口１２６とを有する。本体ケース１００は、一端側が閉塞され、他端側が集塵部２０に向けて開放された形状とされている。収容部１２０には、電動送風機ユニット１１０が吸気側を集塵部２０側に向けた姿勢として収容されている。
【００３９】
第一突起部１２２は、後に詳述する弾性部材１１６を支持できる突起である。第一突起部１２２は、収容部１２０が設けられた部分において本体ケース１００の径方向内側に向けて突出している。第一突起部１２２は、リブ状のものとされている。第一突起部１２２は、本体ケース１００の内周面において周方向の一部のみにおいて突出していても良いが、本実施形態では略全周に亘って突出している。また、第一突起部１２２は、一つだけ設けられていても複数設けられていても良いが、本実施形態では本体ケース１００の軸線方向に所定の間隔をあけて２つの第一突起部１２２が設けられている。
【００４０】
第二突起部１２４は、後に詳述する電動送風機１１４のファン部１４０を支持する突起である。第二突起部１２４は、本体ケース１００の内周面から径方向内側に向けて突出している。第二突起部１２４は、リブ状のものとされている。第二突起部１２４は、本体ケース１００の内周面において周方向の一部のみにおいて突出していても良いが、本実施形態では略全周に亘って突出している。また、第二突起部１２４は、上述した第一突起部１２２よりも本体ケース１００の径方向内側に向けて突出している。
【００４１】
第二排気開口１２６は、本体ケース１００の周面に設けられた開口である。第二排気開口１２６は、単一の開口によって形成されていても良いが、本実施形態では複数のスリット状開口により構成されている。第二排気開口１２６は、後に詳述する電動送風機ケース１１２の第二ケース部１３２に対して径方向外側の位置に形成されている。
【００４２】
上述したような本体ケース１００の収容部１２０に電動送風機ユニット１１０を配置すると、本体ケース１００の内周面と電動送風機ユニット１１０との間に形成された隙間が電動送風機ユニット１１０から出てきた排気が流れる流路（以下、「第一流路１２５」とも称す）として機能する。そのため、第二排気開口１２６は、第一流路１２５を流れる排気を排出するための排気口として機能する。
【００４３】
電動送風機ユニット１１０は、電動送風機ケース１１２の内側に電動送風機１１４を弾性部材１１６を介して収納し、ユニット化したものとされている。電動送風機１１４は、電動送風機ケース１１２の内部において、弾性部材１１６を介して電動送風機ケース１１２により側方から支持されている。
【００４４】
図８や図９に示すように、電動送風機ケース１１２は、軸線方向一端側が閉塞され、他端側が開放された筒状の形状を有する。電動送風機ケース１１２は、第一ケース部１３０、第二ケース部１３２、及び第三ケース部１３４、及び第四ケース部１３６が一体的に形成されたものである。
【００４５】
第一ケース部１３０は、電動送風機ケース１１２の端部を閉塞する部分である。第一ケース部１３０は、後に詳述する電動送風機１１４の電動機部１４２を軸方向一端側において覆う部分である。第一ケース部１３０には、電動送風機ケース１１２の内外を連通するように形成された第一排気開口１３８が設けられている。また、第二ケース部１３２は、電動送風機ケース１１２の周面の一部をなす部分である。第二ケース部１３２は、第一ケース部１３０に連続すると共に、第一ケース部１３０に対して交差（本実施形態では略直交）する部分である。第二ケース部１３２は、電動機部１４２を径方向外側において覆う部分である。第三ケース部１３４は、第二ケース部１３２と同様に、電動送風機ケース１１２の周面の一部をなす部分である。第三ケース部１３４は、後に詳述する電動送風機１１４のファン部１４０を径方向外側において覆う部分である。第四ケース部１３６は、第二ケース部１３２及び第三ケース部１３４の間をなだらかに繋ぐ部分である。第四ケース部１３６は、テーパー状とされており、第二ケース部１３２側から第三ケース部１３４側に向けて拡径している。
【００４６】
電動送風機１１４は、ファン部１４０、及び電動機部１４２を一体化したものである。電動送風機１１４は、電動機部１４２に通電することにより、ファン部１４０を駆動させ、気流を発生させることができる。電動送風機１１４は、ファン部１４０が集塵部２０側（本実施形態では下方）に向き、電動機部１４２が上方に向く姿勢とされ、本体ケース１００及び電動送風機ケース１１２の内部に配置されている。
【００４７】
図８に示すように、電動送風機１１４を電動送風機ケース１１２の内部に配置した状態において、電動送風機ケース１１２の内周面と電動機部１４２との間に、ファン部１４０からの排気が流れる流路（以下、「第二流路１４４」とも称す）形成される。また、第二流路１４４の下流側にある第一ケース部１３０に第一排気開口１３８が設けられている。そのため、図８に矢印で示すように、第二流路１４４を通ってきた排気は、第一排気開口１３８を通じて、電動送風機ケース１１２と本体ケース１００との間に形成された第一流路１２５に排出され、電動送風機ケース１１２の外周面に回り込み、最終的に第二排気開口１２６から外部に排出される。このように、第二流路１４４から第一流路１２５を経て第二排気開口１２６に至る長い排気経路が掃除機本体１０の内部に形成されるため、排気騒音を最小限に抑制できる。なお、第二排気開口１２６を、よりファン部１４０側に近づけるようにしてもよい。これにより、排気経路をより長くすることができる。
【００４８】
電動送風機１１４のファン部１４０、及び上述した電動送風機ケース１１２の間には、弾性部材１１６が介在している。弾性部材１１６は、ゴムやシリコーン樹脂等の弾性を有する素材を用いて成形されたものである。図８に示すように、弾性部材１１６は、ファン部１４０の吸気側及び排気側（電動機部１４２側）に係合しつつ、ファン部１４０をなす略円柱状の外周部分を包囲するように装着されるものである。図８に示すように、電動送風機ユニット１１０を断面視した状態において、弾性部材１１６は、ファン部１４０を略「Ｃ」字状あるいは略「コ」字状に覆う。
【００４９】
弾性部材１１６は、周部１５０、第一係合部１５２、第二係合部１５４、第三係合部１５６を一体的に形成したものである。周部１５０は、ファン部１４０の外周を包囲するように装着される略円環状の部分である。
【００５０】
第一係合部１５２は、ファン部１４０の吸気側に係合した部分である。第一係合部１５２は、周部１５０の軸線方向一端側に連続し、周部１５０に対して径方向内側に向けて突出している。また、第二係合部１５４は、ファン部１４０の排気側（電動機部１４２側）に係合した部分である。第二係合部１５４は、周部１５０の軸線方向他端側（第一係合部１５２とは反対側の端部）に連続し、周部１５０に対して径方向内側に向けて突出している。第三係合部１５６は、第一係合部１５２や第二係合部１５４とは異なり、周部１５０に対して径方向外側に突出した部分である。第三係合部１５６は、上述した本体ケース１００の第一突起部１２２及び第二突起部１２４の間に嵌まり込んで係合している。これにより、本体ケース１００とファン部１４０との間に形成された隙間が、第三係合部１５６によって埋められている。
【００５１】
電動送風機ユニット１１０においては、上述したような特徴的な形状を有する単一の弾性部材１１６を電動送風機１１４のファン部１４０に装着している。このような構成とされているため、弾性部材１１６は、単一でありながら複数の機能を発揮することができる。具体的には、弾性部材１１６の第一係合部１５２をファン部１４０の吸気側に係合させることにより、電動送風機１１４を吸気側における気密性を向上させることができる。また、電動送風機１１４は、駆動に伴いファン部１４０側においてがたつきやすい可能性がある。しかしながら、弾性部材１１６が本体ケース１００の第一突起部１２２に対して当接することにより、ファン部１４０を側方（径方向外側）から支持し、ファン部１４０及びこの近傍におけるがたつきの防止を抑制できる。さらに、第二係合部１５４をファン部１４０の排気側に係合させることにより、ファン部１４０の排気口を一部閉塞することができる。これにより、ファン部１４０における排気騒音を低減できる。
【００５２】
≪吸込具４０について≫
続いて、吸込具４０について、特徴的な部分を中心に詳細に説明する。上述したとおり、吸込具４０は、吸込具本体４２と、継手部４４と、清掃体４６と、清掃体駆動機構４８とを備えている（図１０参照）。吸込具４０は、継手部４４に対して管部３０を接続することにより、集塵部２０を介して掃除機本体１０と連通する。また、吸込具４０は、吸込具本体４２が床面側に向けて開口した吸込空間を有し、この内部に清掃体４６が回転自在に支持された構造とされている。
【００５３】
図１１に示すように、清掃体４６は、吸込具本体４２の長手方向（左右方向）に延びる清掃体本体１７０と、取付部１７２とを有する。清掃体本体１７０は、筒状に形成された清掃体本体１７０の外側にブラシ取付部１７６を設けると共に、周方向に隣接するブラシ取付部１７６，１７６の間に溝部１７７を設けたものとされている。ブラシ取付部１７６及び溝部１７７は、それぞれ例えば、清掃体本体１７０軸線方向に略直線的に設けられたもの等とすることができるが、本実施形態では清掃体本体１７０の軸心位置を中心として、清掃体本体１７０の外周に螺旋を描くように設けられている。ブラシ取付部１７６は、レール状とされており、ブラシ１７５を清掃体本体１７０の外側に向けて突出した状態で挟み込んで保持可能とされている。
【００５４】
取付部１７２は、吸込具本体４２に対して清掃体４６を取り付けるために用いられる部分である。取付部１７２は、清掃体本体１７０の長手方向一方側、及び他方側において、清掃体本体１７０に清掃体本体１７０とは別部材として取り付けられているが、清掃体本体１７０と一体となっていてもよい。清掃体４６は、両端に設けられた取付部１７２，１７２（以下、必要に応じて両者を「取付部１７２ａ」、「取付部１７２ｂ」と区別することもある）を、吸込具本体４２内に設けられた所定の取り付け位置に取り付けることにより、吸込具本体４２に対して回転自在に支持されている。
【００５５】
具体的には、図１１や図１２に示すように、取付部１７２ａ，１７２ｂは、清掃体４６の軸方向一端側及び他端側において角柱状の形状（断面形状が略正方形）とされた端部１７６ａ，１７６ｂを有する。図１０及び図１２に示すように、清掃体４６は、取付部１７２ａ，１７２ｂを吸込具本体４２に設けられた受部４２ａ，４２ｂに嵌め込むことにより、回転自在に支持されている。清掃体４６は、後に詳述するように、端部１７６ｂ側において清掃体駆動機構４８に接続されており、清掃体駆動機構４８から動力を受けて自由に回転可能とされている。
【００５６】
ここで、図１２や図１３に示すように、吸込具本体４２において清掃体４６の端部１７６ａが嵌め込まれる受部４２ａは、端部１７６ａを取り囲むように設けられた複数の突起４２ｃを備えたものとされている。本実施形態では、端部１７６ａとして断面形状が略矩形であることに対応し、周方向に略９０度ごとに４つの突起４２ｃが設けられている。突起４２ｃは、それぞれ端部１７６ａをなす四面からなる周面に対して面接触可能なものとされている。そのため、端部１７６ａを受部４２ａに嵌め込むことにより、端部１７６ａを保持することができる。
【００５７】
また、図１１や図１２に示すように、清掃体４６の両端に設けられた取付部１７２ａ，１７２ｂのうち、端部１７６ａ側の取付部１７２ａには、フランジ部１７２ｘが設けられている。フランジ部１７２ｘは、吸込具本体４２において吸込空間をなす内周面に対して略隙間無く接触するように形成されている。また、図１４に示すように、端部１７６ａを受部４２ａに嵌め込むと、各突起４２ｃ、及びこれらの外周側を取り囲むように形成された円弧状の突起４２ｄに対してフランジ部１７２ｘが当接し、受部４２ａが蓋をされた状態になる。そのため、清掃体４６を取り付けると、フランジ部１７２ｘによって、清掃体４６の端部１７６ａや受部４２ａ側の領域を清掃体本体１７０側の領域から隔離し、髪の毛などの塵芥が端部１７６ａや受部４２ａ側の領域に侵入するのを抑制できる。これにより、清掃体４６の回転性能の低下を抑制できる。
【００５８】
吸込具４０は、必ずしも清掃体４６が動力を受けて駆動するものである必要はないが、本実施形態では清掃体駆動機構４８を設け、清掃体４６が清掃体駆動機構４８から出力された動力を受けて駆動するものとされている。図１０に示すように、清掃体駆動機構４８は、駆動機１８０、動力伝達体１８２、出力側プーリ１８４、従動側プーリ１８６等を備えている。
【００５９】
駆動機１８０は、吸込具本体４２内に設けられたモータ等によって構成されている。また、動力伝達体１８２は、歯付の無端ベルトによって構成されている。また、出力側プーリ１８４は、駆動機１８０をなすモータの出力軸に取り付けられた歯付のプーリである。また、従動側プーリ１８６は、一対の取付部１７２のうち、取付部１７２ａとは反対側に設けられた取付部１７２ｂに一体的に設けられた歯付のプーリである。清掃体駆動機構４８は、動力伝達体１８２を出力側プーリ１８４と従動側プーリ１８６との間に無端ベルトからなる動力伝達体１８２を掛け回した構成とされている。そのため、駆動機１８０を作動させることにより、回転動力を取付部１７２ｂ側に伝え、吸込具本体４２の吸込空間内において清掃体４６を回転駆動させることができる。
【００６０】
≪変形例≫
本実施形態で示した電気掃除機１の構造は、本発明の一例を示したものに過ぎず、本発明の趣旨を逸脱しない範囲において種々の変形例が考えられる。以下、各部の構成の変形例について説明する。
【００６１】
≪収容部５０及びこの近傍の構造の変形例について≫
以下、収容部５０及びこの近傍の構造の変形例について説明する。上記実施形態の電気掃除機１においては、開口部６０に設けられた開閉手段６２により、開口部６０を開閉可能とした例を示したが、本発明はこれに限定されるものではない。
【００６２】
具体的には、電気掃除機１は、開口部６０に開閉手段６２を設けない構成としても良い。開閉手段６２を設けない場合には、図１５（ａ）に示すように、収容部５０の上端側の開放部分に開閉可能な蓋２００を設けた構成や、図１５（ｂ）に示すようにモップ８０の柄８４に設けた鍔２１０により収容部５０の上端側の開放部分を閉塞可能とした構成、図１５（ｃ）に示すようにモップ８０の柄８４に設けた鍔２２０により開口部６０を閉塞可能とした構成等とすることが可能である。また、電気掃除機１は、図１６（ａ）に示すように、開口部６０を開閉するための開閉手段６２を設けつつ、モップ８０の柄８４に設けた鍔２１０によって収容部５０の上端側の開放部分を閉塞可能としたり、図１６（ｂ）に示すように鍔２２０によって開口部６０を閉塞可能とした構成等としても良い。
【００６３】
また、上記実施形態の電気掃除機１は、開閉手段６２の側方に設けられた操作部６６ｂ，６６ｂを手動によりスライド操作することにより開閉可能としたものであるが、本発明はこれに限定されるものではない。具体的には、図１７に示すように、開閉手段６２を閉じる方向に付勢するバネ等の付勢部材２３０を設け、付勢部材２３０の付勢力により自然に開口部６０が閉止されるものとしても良い。このようにすることで、開口部６０の閉じ忘れにより電気掃除機１の集塵力（吸引力）が低下するのを抑制できると共に、開閉手段６２の操作をより一層簡便なものとすることができる。また、モップ８０の挿抜時にモップ８０が開閉手段６２に係合等する構造とし、開閉手段６２の挿抜動作に連動して開閉手段６２が開閉するようにしても良い、このようにすることで、モップ８０の清掃をより一層簡単に行えるようになる。
【００６４】
本実施形態で例示した電気掃除機１においては、開口部６０を収容部５０の上端よりも下方側（収容部５０の内側）に外れた位置に設けた例を示した。しかしながら、本発明はこれに限定されるものではなく、開口部６０を収容部５０の上端よりも上方（収容部５０の外側）に外れた位置に設けた構成としても良い。また、前述のように開口部６０を収容部５０の内外を問わず収容部５０の上方側に設ける代わりに、あるいは上方側に設けることに加えて、収容部５０内の下方側に開口部６０を設けても良い。
【００６５】
また、本実施形態では、突起部５６を櫛歯５６ａが収容部５０の長手方向、すなわちモップ８０の挿抜方向に延びるように設けた例を示したが、本発明はこれに限定されるものではなく、収容部５０の幅方向（モップ８０の挿抜方向に対して交差する方向）に延びるように設けても良い。また、本実施形態では、突起部５６を櫛歯５６ａによって構成した例を示したが、本発明はこれに限定されるものではなく、例えば櫛歯５６ａに代えて、あるいは櫛歯５６ａに加えてブラシ状の形態をなすように突出した突起を備えたもの等としても良い。
【００６６】
また、本実施形態では、管部３０側に設けられた開閉部材収容部６４を収容部５０側に向けて開口した形状のものとし、収容部５０の外周面を開閉部材収容部６４の周壁部６４ｄに対して突き合わせることにより、開閉部材収容部６４を閉塞された空間とする構成を例示したが、本発明はこれに限定されるものではない。例えば、図１８に示すように、開閉部材収容部６４の周壁部６４ｄに当接する収容部蓋６５を設けると共に、収容部５０側において収容部蓋６５に相当する位置に切り欠き５２ｅを設けたものとしても良い。また、図１８の例に示すように、収容部側開口５２ｃの上下両側のうち少なくとも一方に突起部５６に相当するものを収容部蓋６５に設けた構成としても良い。このようにすることにより、電気掃除機１の組み立て時に開閉部材収容部６４内に開閉手段６２を収容する作業がしやすくなったり、予期せず収容部５０が管部３０から外れたとしても開閉手段６２が露出や脱落等しないようにしたりすることができる。
【００６７】
≪掃除機本体１０の内部構造の変形例について≫
以下、掃除機本体１０の内部構造の変形例について説明する。上記実施形態において例示した電動送風機ユニット１１０の電動送風機ケース１１２は、電動送風機１１４の電動機部１４２を覆う第二ケース部１３２、及びファン部１４０を覆う第三ケース部１３４の間をテーパー状に形成された第四ケース部１３６によってなだらかに繋いだ形状を有するものであるが、本発明はこれに限定されるものではない。具体的には、電動送風機ケース１１２は、図１９に示すように第二ケース部１３２及び第三ケース部１３４を繋ぐ第四ケース部１３６を流線型の形状としたものや、図２０に示すように第四ケース部１３６を設ける代わりに第二ケース部１３２及び第三ケース部１３４の間に段差１３７を設けた構成としても良い。
【００６８】
また、本実施形態では、電動送風機ケース１１２の端部を、弾性部材１１６をなす周部１５０の中間まで到達させ、電動送風機ケース１１２と電動送風機１１４のファン部１４０との間に弾性部材１１６を挟み込んだ構成とした例を示したが、本発明はこれに限定されるものではない。例えば、図２１に示すように、電動送風機ケース１１２の端部を電動送風機１１４のファン部１４０の近傍において径方向内側に折れ曲がる内フランジ部１１３を設けた構成とすると共に、弾性部材１１６に内フランジ部１１３と係合する第四係合部１５８を設けたものとしても良い。このような構成としても、上記実施形態で例示したものと同様の効果が期待できる。
【００６９】
≪その他の変形例について≫
上述した電気掃除機１は、本発明の一例を示したものに過ぎず、本発明の趣旨を逸脱しない範囲において適宜、構成を変更可能である。具体的には、本実施形態では、収容部５０の底を閉塞部５２ｂにより開閉不能に閉塞した例を示したが、本発明はこれに限定されるものではない。具体的には、例えば、閉塞部５２ｂに開閉可能な蓋を設ける等して、収容部５０に溜まった塵芥を適宜、閉塞部５２ｂ側から取り除けるようにしても良い。
【００７０】
また、電気掃除機１は、モップ８０の柄８４を掃除機本体１０に固定できるものとしても良い。具体的には、例えば、柄８４の端部および集塵部２０の裏面の一方に、磁石を設けると共に、他方に鉄板等の強磁性体からなる部材を設ける等すると良い。
【００７１】
また、上述した実施形態では、本体ケース１００に設けられた第一突起部１２２が弾性部材１１６に対して当接することにより、ファン部１４０を側方（径方向外側）から支持する構成を例示したが、本発明はこれに限定される訳ではない。具体的には、例えば、弾性部材１１６側に第一突起部１２２に相当する突起を設け、この突起を本体ケース１００側に当接させるようにしても良い。
【００７２】
また、上述した電動送風機１１４は、ファン部１４０及び電動機部１４２のうち、ファン部１４０のみをケーシングしたものである。すなわち、本実施形態で例示した電気掃除機１においては、電動送風機ケース１１２の内部に、さらにファン部１４０のみをケーシングするケースがあり、このケースに設けられたファン部１４０の排気口から電動送風機ケース１１２の内側にファン部１４０の排気が排出される構成とされている。そのため、図８等に矢印で示すように、ファン部１４０の背面側（図示例では上方側）から排気される構成とされている。しかしながら、電動掃除機１において用いられる電動送風機１１４は、上述したような構成のものに限定されず、例えば、ファン部１４０及び電動機部１４２の双方をケーシングした状態で、電動送風機ケース１１２の内部に収容されたものであっても良い。かかる構成とした場合は、上述した電動送風機１１４とは異なり、電動機部１４２が設けられた部分の周囲等に排気口が設けられ、当該排気口から排気されることになる。そのため、上記実施形態とは、電動送風機１１４から電動送風機ケース１１２の内側に排気される位置が相違することになる。しかしながら、このような構成とした場合についても、上述した実施形態にて説明したものと同様に、排気経路の長さを十分長く取ることができ、排気騒音の低減効果が期待できる。
【００７３】
上記実施形態の電気掃除機１は、いわゆるスティック型のものであるが、本発明はこれに限定されるものではなく、掃除機本体と吸込具とをホースおよび延長管を介して接続したキャニスター式の掃除機であっても良い。
【００７４】
本発明の一実施形態に係る電気掃除機１は、電動送風機１１４を有する掃除機本体１０と、管部３０を介して掃除機本体１０と連通する吸込具４０と、管部３０に対して設けられ、モップ８０を出し入れ自在に収容する収容部５０と、収容部５０と管部３０との間を連通させる開口部６０と、を備えることを特徴とするものである。
【００７５】
上述した電気掃除機１は、掃除機本体１０と吸込具４０とを連通する管部３０に対し、開口部６０を介して収容部５０が連通した構成とされている。そのため、電気掃除機１は、収容部５０に対して補助集塵具であるモップ８０を出し入れするのに伴って、開口部６０を介してモップ８０に付着した塵芥を吸引除去することができる。従って、電気掃除機１によれば、モップ８０に付着した塵挨を容易な作業により除去できる。
【００７６】
上述した電気掃除機１は、開口部６０を開状態と閉状態との間で切換え可能な開閉手段６２を備えるものであると良い。
【００７７】
このように開閉手段６２を設けることにより、モップ８０に付着した塵挨を吸引除去する等のために必要な場合に開口部６０を開くと共に、例えば吸込具４０により塵芥を吸引して掃除を行う場合等に開口部６０を閉じて使用することができる。このような構成によれば、管部３０に連通する開口部６０を設けたとしても、吸込具４０による吸引力を低下させることなく使用可能な電気掃除機１を提供できる。なお、本実施形態では、開閉手段６２を設けた構成を例示したが、例えば上述した変形例のように、開閉手段６２を設けない構成としても良い。
【００７８】
上述した電気掃除機１は、開閉手段６２が、開口部６０を閉塞可能な開閉部６６ａと、開閉部６６ａを操作するための操作部６６ｂとを有し、操作部６６ｂをスライド操作することにより、開閉部６６ａによる開口部６０の開閉操作を行えるものであると良い。
【００７９】
このような構成とすることにより、操作部６６ｂをスライド操作するだけで開口部６０の開閉を行えるようになる。なお、電気掃除機１において、開閉手段６２は必ずしも上述したような構成のものに限定されず、開口部６０を開閉操作できるものであればいかなるものであっても良い。
【００８０】
上述した電気掃除機１は、開閉手段６２が、開口部６０を開閉可能な開閉部材６６と、開閉部材６６をスライド可能に収容する開閉部材収容部６４とを有し、開閉部材６６が、開口部６０を閉塞して開口部６０を閉状態とする開閉部６６ａと、開口部６０と連通して開口部６０を開状態とする開閉部開口６６ｈと、開閉部材収容部６４の外側に露出してスライド操作を可能とする操作部６６ｂとを備えていることを特徴とするものであると良い。
【００８１】
このような構成とすることにより、開閉部材収容部６４の外側に露出している操作部６６ｂを操作することにより、開閉部材収容部６４の内部において開閉部材６６をスライドさせ、開閉部６６ａによって開口部６０を閉状態としたり、開口部６０を開閉部開口６６ｈと連通させて開状態としたりすることができる。
【００８２】
上述した電気掃除機１は、開閉手段６２が、開閉操作に連動して係合状態と非係合状態との間で切り替わる系脱構造部６８を有することを特徴とするものであると良い。
【００８３】
このように、開閉手段６２による開口部６０の開閉操作に連動して係合状態と非係合状態とに切り替わるようにすれば、開口部６０が予期せず開いたり、閉じたりするのを抑制できる。また、上述したような系脱構造部６８を設けることにより、開口部６０を開閉する操作に節度感を与えることができる。なお、本実施形態では、系脱構造部６８を設けた例を示したが、本発明はこれに限定されるものではなく、系脱構造部６８を設けないこととしたり、系脱構造部６８を上述したのとは異なる構成としても良い。
【００８４】
上述した電気掃除機１は、モップ８０が、鍔部２１０を有し、鍔部２１０が、収容部５０においてモップ８０が挿入される挿入開口を塞ぐことを特徴とするものであると良い。
【００８５】
このようにすれば、例えば、上述したように開閉手段６２を省略した構成とたり、開閉手段６２に加えて鍔部２１０によっても開口部６０を介して管部３０が大気開放されるのを抑制したりすることができる。上述したような鍔部２１０を設けて開閉手段６２を省略した構成とすれば、電気掃除機１の構成を簡素化できる。また、開閉手段６２に加えて鍔部２１０を設けた場合には、開口部６０を介して管部３０が大気開放されるのをより一層低減したり、収容部５０から塵芥が外部に漏洩するのを抑制したりすることができる。なお、電気掃除機１は、必ずしも鍔部２１０を設けたものである必要はなく、鍔部２１０を省略したり、鍔部２１０に代わる他の構成を備えたものとしたりしても良い。
【００８６】
上述した電気掃除機１は、モップ８０は、鍔部２２０を有し、収容部５０への出し入れに応じて、鍔部２１０が開口部６０を開状態と閉状態との間で切り替ることで開閉手段６２として機能することを特徴とするものであると良い。
【００８７】
このようにすれば、例えば、上述したように開閉手段６２を省略した構成とたり、開閉手段６２に加えて鍔部２２０によっても開口部６０を介して管部３０が大気開放されるのを抑制したりすることができる。上述したような鍔部２２０を設けて開閉手段６２を省略した構成とすれば、電気掃除機１の構成を簡素化できる。また、開閉手段６２に加えて鍔部２２０を設けた場合には、開口部６０を介して管部３０が大気開放されるのをより一層低減したり、収容部５０から塵芥が外部に漏洩するのを抑制したりすることができる。なお、電気掃除機１は、必ずしも鍔部２１０を設けたものである必要はなく、鍔部２２０を省略したり、鍔部２２０に代わる他の構成を備えたものとしたりしても良い。
【００８８】
上述した電気掃除機１は、収容部５０は、内部空間に向けて突出した突起部５６を備えることを特徴とするものであると良い。
【００８９】
このようにすれば、モップ８０を収容部５０に対して挿抜することにより、ヘッド部８２（図４において点線で図示）に付着した塵芥を除去することができる。なお、本実施形態では、突起部５６を設けた例を示したが、本発明はこれに限定されるものではなく、突起部５６を備えていないものとしたり、突起部５６に代えて、あるいは突起部５６に加えてヘッド部８２から塵芥を除去できるものを設けても良い。また、ヘッド部８２は、例えばポリプロピレン樹脂からなる素材を含む。
【００９０】
本発明の一実施形態に係る電気掃除機１は、ファン部１４０、及び電動機部１４２を有する電動送風機１１４と、少なくともファン部１４０に取り付けられる弾性部材１１６とを備え、弾性部材１１６が、ファン部１４０の吸気側における縁部と係合する第一係合部１５２と、ファン部１４０の電動機部１４２側における縁部と係合する第二係合部１５４とを有することを特徴とするものである。
【００９１】
このような構成とすることにより、弾性部材１１６によって様々な効果が期待できる。具体的には、弾性部材１１６の第一係合部１５２をファン部１４０の吸気側に係合させることにより、電動送風機１１４を吸気側における気密性を向上させる効果が期待できる。また、ファン部１４０の排気側に係合する第二係合部１５４により、ファン部１４０の排気口を一部閉塞すれば、ファン部１４０における排気騒音の低減効果が期待できる。
【００９２】
本発明の一実施形態に係る電気掃除機１は、弾性部材１１６を介して、電動送風機１１４を側方から支持する電動送風機ケース１１２を備え、電動送風機ケース１１２が、流路を流れる排気を電動送風機ケース１１２の外部に排気するための第一排気開口１３８を有し、電動機部１４２との間にファン部１４０からの排気が流れる第二流路１４４を形成することを特徴とするものであると良い。
【００９３】
このような構成とすることにより、ファン部１４０の排気が、電動送風機ケース１１２の内部において第二流路１４４を流れた後、第一排気開口１３８から電動送風機ケース１１２の外側に排出される。そのため、上述した構成によれば、ファン部１４０の排気が流れる経路の長さを十分確保でき、排気騒音の抑制効果が期待できる。
【００９４】
本発明の一実施形態に係る電気掃除機１は、上述した電動送風機１１４ユニットと、電動送風機１１４ユニットが設けられる本体ケース１００と、を備え、本体ケース１００は、内方に突出し、弾性部材１１６を支持する第一突起部１２２を有することを特徴とするものであると良い。
【００９５】
かかる構成によれば、第一突起部１２２により、弾性部材１１６を介して電動送風機ユニット１１４を支持できる。これにより、ファン部１４０を側方から支持し、ファン部１４０及びこの近傍におけるがたつきの防止を抑制できる。
【００９６】
本発明の一実施形態に係る電気掃除機１は、本体ケース１００が、弾性部材１１６の第一係合部１５２よりも内方に突出し、ファン部１４０を支持する第二突起部１２４を有し、第一係合部１５２が、ファン部１４０の縁部と、本体ケース１００の第二突起部１２４との間に位置し、ファン部１４０および第二突起部１２４に接触することを特徴とするものであると良い。
【００９７】
このような構成とすれば、第二突起部１２４によりファン部１４０をしっかりと支持することができる。
【００９８】
本発明の一実施形態に係る電気掃除機１は、電動送風機ケース１１２が、電動機部１４２を軸方向一端側において覆う第一ケース部１３０と、電動機部１４２を径方向外側において覆う第二ケース部１３２と、を有し、第一ケース部１３０に第一排気開口１３８を有するものであり、本体ケース１００が、第二ケース部１３２に対して径方向外側に第二排気開口１２６を有することを特徴とするものであると良い。
【００９９】
このような構成によれば、電動送風機ケース１１２において、第二ケース部１３２の内側を通ってきたファン部１４０の排気が、第一ケース部１３０に設けられた第一排気開口１３８を介して電動送風機ケース１１２と本体ケース１００との間に形成された空間（第一流路１２５）に排出される。第一流路１２５に排出された排気は、本体ケース１００内において第二排気開口１２６に到達するまで流れた後、外部に排出される。そのため、上述した構成によれば、ファン部１４０の排気が流れる経路を十分長く確保でき、排気騒音の抑制効果が期待できる。
【０１００】
（１）本発明の電動送風機ユニットは、ファン部、及び電動機部を有する電動送風機と、少なくとも前記ファン部に取り付けられる弾性部材とを備え、前記弾性部材は、前記ファン部の吸気側における縁部と係合する第一係合部と、前記ファン部の前記電動機部側における縁部と係合する第二係合部とを有することを特徴とするものである。
【０１０１】
（２）上記（１）の電動送風機ユニットは、前記弾性部材を介して、前記電動送風機を側方から支持する電動送風機ケースを備え、前記電動送風機ケースは、前記流路を流れる排気を前記電動送風機ケース外に排気するための第一排気開口を有し、前記電動機部との間に前記ファン部からの排気が流れる流路を形成することを特徴とするものであると良い。
【０１０２】
（３）本発明の電動掃除機は、上記（１）または（２）に記載の電動送風機ユニットと、前記電動送風機ユニットが設けられる本体ケースと、を備え、前記本体ケースは、内方に突出し、前記弾性部材を支持する第一突起部を有することを特徴とするものである。
【０１０３】
（４）上記（３）の電動掃除機は、前記本体ケースが、前記弾性部材の前記第一係合部よりも内方に突出し、前記ファン部を支持する第二突起部を有し、前記第一係合部が、前記ファン部の前記縁部と、前記本体ケースの前記第二突起部との間に位置し、前記ファン部および前記第二突起部に接触することを特徴とする、ものであると良い。
【０１０４】
（５）上記（３）又は（４）の電動掃除機は、前記電動送風機ケースが、前記電動機部を軸方向一端側において覆う第一ケース部と、前記電動機部を径方向外側において覆う第二ケース部と、を有し、前記第一ケース部に前記第一排気開口を有するものであり、前記本体ケースが、前記第二ケース部に対して径方向外側に第二排気開口を有することを特徴とする、ものであると良い。
【０１０５】
本発明は、上述した実施形態に示したものに限定されるものではなく、特許請求の範囲を逸脱しない範囲でその教示及び精神から他の実施形態があり得ることは当業者に容易に理解できよう。
【産業上の利用可能性】
【０１０６】
本発明は、電気掃除機全般において好適に利用できる。
【符号の説明】
【０１０７】
１    ：電気掃除機
１０    ：掃除機本体
３０    ：管部
４０    ：吸込具
５０    ：収容部
５６    ：突起部
６０    ：開口部
６２    ：開閉手段
６６ａ  ：開閉部
６６ｂ  ：操作部
６８    ：系脱構造部
８０    ：モップ
１００  ：本体ケース
１１２  ：電動送風機ケース
１１４  ：電動送風機
１１６  ：弾性部材
１２２  ：第一突起部
１２４  ：第二突起部
１２６  ：第二排気開口
１３０  ：第一ケース部
１３２  ：第二ケース部
１３８  ：第一排気開口
１４０  ：ファン部
１４２  ：電動機部
１４４  ：第二流路
１５２  ：第一係合部
１５４  ：第二係合部
２１０  ：鍔部
２２０  ：鍔部
【図１】
2020141836.tif 000003
【図２】
2020141836.tif 000004
【図３】
2020141836.tif 000005
【図４】
2020141836.tif 000006
【図５】
2020141836.tif 000007
【図６】
2020141836.tif 000008
【図７】
2020141836.tif 000009
【図８】
2020141836.tif 000010
【図９】
2020141836.tif 000011
【図１０】
2020141836.tif 000012
【図１１】
2020141836.tif 000013
【図１２】
2020141836.tif 000014
【図１３】
2020141836.tif 000015
【図１４】
2020141836.tif 000016
【図１５】
2020141836.tif 000017
【図１６】
2020141836.tif 000018
【図１７】
2020141836.tif 000019
【図１８】
2020141836.tif 000020
【図１９】
2020141836.tif 000021
【図２０】
2020141836.tif 000022
【図２１】
2020141836.tif 000023
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
電動送風機を有する掃除機本体と、
管部を介して前記掃除機本体と連通する吸込具と、
前記管部に対して設けられ、補助集塵具を出し入れ自在に収容する収容部と、
前記収容部と前記管部との間を連通させる開口部と、
前記開口部を開状態と閉状態との間で切換え可能な開閉手段と、を備え、
前記開閉手段は、
前記開口部を閉塞可能な開閉部と、
前記開閉部に設けられ、前記開閉部をスライド移動させるための操作部と、を有することを特徴とする電気掃除機。
【請求項２】
電動送風機を有する掃除機本体と、
管部を介して前記掃除機本体と連通する吸込具と、
前記管部に対して設けられ、補助集塵具を挿入開口を介して出し入れ自在に収容する収容部と、
前記収容部と前記管部との間を連通させる開口部と、
前記開口部を開状態と閉状態との間で切換え可能な開閉手段と、を備え、
前記補助集塵具は、前記開口部を閉塞可能な鍔部を前記開閉手段として有するとともに、柄およびヘッド部を有し、
前記収容部は、前記管部の長手方向に沿って延びる空間を内部に有し、
前記開口部は、前記長手方向と交差する方向に向けて開口し、
前記空間は、前記ヘッド部が到達可能な位置が前記開口部よりも前記補助集塵具の挿入方向の奥側となるよう、前記挿入開口から前記長手方向に沿って延びていることを特徴とする電気掃除機。
【請求項３】
前記開閉手段は、
前記開口部を開閉可能な開閉部材と
前記開閉部材をスライド可能に収容する開閉部材収容部とを有し、
前記開閉部材が、
前記開口部を閉塞して前記開口部を閉状態とする前記開閉部と、
前記開口部と連通して前記開口部を開状態とする開閉部開口と、
前記開閉部材収容部の外側に露出してスライド操作を可能とする前記操作部とを備えていることを特徴とする請求項１に記載の電気掃除機。
【請求項４】
前記開閉手段は、前記開閉操作に連動して係合状態と非係合状態との間で切り替わる系脱構造部を有することを特徴とする請求項１または３に記載の電気掃除機。
【請求項５】
前記補助集塵具の鍔部は、前記収容部において前記補助集塵具が挿入される挿入開口を塞ぐことを特徴とする請求項１〜４のいずれかに記載の電気掃除機。
【請求項６】
前記補助集塵具の前記収容部への出し入れに応じて、前記補助集塵具の鍔部が前記開口部を開状態と閉状態との間で切り替ることで前記開閉手段として機能することを特徴とする、請求項１〜５のいずれかに記載の電気掃除機。
【請求項７】
前記収容部は、内部空間に向けて突出した突起部を備えることを特徴とする、請求項１〜６のいずれかに記載の電気掃除機。
【請求項８】
前記突起部は、前記収容部の内側に向けて突出することを特徴とする、請求項７に記載の電気掃除機。
【請求項９】
前記補助集塵具が前記収容部に挿入されると、前記補助集塵具の鍔部は、前記収容部の挿入開口にて保持された状態で前記挿入開口を閉塞するとともに、前記開口部を閉塞することを特徴とする、請求項１〜８のいずれかに記載の電気掃除機。